(57)【要約】【課題】清潔感を向上した電気掃除機を提供する。【解決手段】一対の突起によりプリーツフィルタから落とした微細塵を掃出体によりプリーツフィルタの周囲から下部粉体収容部へと移動させて収容する。下部粉体収容部と集塵部ユニットの第２集塵室159との間に塵移動部144により圧力差を生じさせ、下部粉体収容部に収容した微細塵を第２集塵室159へと吸い出す。プリーツフィルタから落とした微細塵のプリーツフィルタの周囲での取り残しを抑制するとともにプリーツフィルタへの再付着を防止し、清潔感を向上できる。【選択図】図１
2007252641.tif 000002
【特許請求の範囲】
【請求項１】
電動送風機を収容した掃除機本体と、
塵埃を収容する第１集塵室と、
この第１集塵室の排気側に設けられたフィルタ体と、
このフィルタ体にて捕集した塵埃を落とす塵落とし機構と、
この塵落とし機構により前記フィルタ体から落とされた塵埃を収容可能とする塵埃収容部と、
前記塵落とし機構により前記フィルタ体から落とされた塵埃を前記塵埃収容部へと導く第１塵移動手段と、
前記塵埃収容部に収容された塵埃のみを収容可能な第２集塵室と、
前記塵埃収容部と前記第２集塵室との間に圧力差を生じさせて前記塵埃収容部から前記第２集塵室へと塵埃を導く第２塵移動手段と
を具備したことを特徴とした電気掃除機。
【請求項２】
第２塵移動手段は、
筒状に形成され、一端部が第２集塵室に連通するシリンダと、
このシリンダ内に摺動可能に設けられ、前記シリンダの他端部から突出するピストンとを備えている
ことを特徴とした請求項１記載の電気掃除機。
【請求項３】
第１集塵室と第２集塵室とは、一体的に形成されている
ことを特徴とした請求項１または２記載の電気掃除機。
【発明の詳細な説明】
【技術分野】
【０００１】
本発明は、フィルタ体にて捕集した塵埃を落とす塵落とし機構を備えた電気掃除機に関する。
【背景技術】
【０００２】
従来、この種の電気掃除機は、電動送風機を収容した掃除機本体を備えている。この掃除機本体には、電動送風機の吸込側に連通する集塵室が設けられ、この集塵室には、電動送風機の駆動により吸い込まれた塵埃を捕集、例えば慣性分離する集塵部としての集塵カップが着脱可能に設けられている。この集塵カップは、塵埃を慣性分離する分離部およびこの分離部により分離された塵埃を収容する塵埃収容部を内部に備えたカップ本体を有し、このカップ本体には、分離部を介して塵埃収容部に連通する吸込口と、塵埃収容部に連通する排気口とが形成されている。この排気口は、集塵カップを集塵室に取り付けた状態で電動送風機の吸込側に連通する部分であり、分離部にて分離しなかった微細な塵埃である粉体、すなわち微細塵を捕集するフィルタ装置が着脱可能に設けられている。
【０００３】
そして、このフィルタ装置は、フィルタ体としてのプリーツフィルタを備え、このプリーツフィルタには、捕集した塵埃をカップ本体の排気口の下方に区画された塵埃収容部へと落とす塵落とし機構が当接している（例えば、特許文献１参照。）。
【特許文献１】特開２００４−３５８１３５号（第５−７頁、図１１−１３）
【発明の開示】
【発明が解決しようとする課題】
【０００４】
しかしながら、上述の電気掃除機では、塵落とし機構によりプリーツフィルタから落とした微細塵が、フィルタ装置と排気口との隙間など、フィルタ装置の周辺部に取り残されることがあり、清潔感に欠けるという問題点を有している。
【０００５】
本発明は、このような点に鑑みなされたもので、清潔感を向上した電気掃除機を提供することを目的とする。
【課題を解決するための手段】
【０００６】
本発明は、塵埃を収容する第１集塵室と、この第１集塵室の排気側に設けられたフィルタ体と、このフィルタ体にて捕集した塵埃を落とす塵落とし機構と、この塵落とし機構によりフィルタ体から落とされた塵埃を収容可能とする塵埃収容部と、塵落とし機構によりフィルタ体から落とされた塵埃を塵埃収容部へと導く第１塵移動手段と、塵埃収容部に収容された塵埃のみを収容可能な第２集塵室と、塵埃収容部と第２集塵室との間に圧力差を生じさせて塵埃収容部から第２集塵室へと塵埃を導く第２塵移動手段とを具備したものである。
【発明の効果】
【０００７】
本発明によれば、塵落とし機構によりフィルタ体から落とした塵埃を第１塵移動手段により塵埃収容部へと移動させて収容し、この塵埃収容部と第２集塵室との間に第２塵移動手段により圧力差を生じさせて塵埃収容部に収容された塵埃を第２集塵室へと移動させることで、フィルタ体から落とした塵埃のフィルタ体の周囲での取り残しを抑制するとともにフィルタ体への再付着を防止でき、清潔感を向上できる。
【発明を実施するための最良の形態】
【０００８】
以下、本発明の一実施の形態の電気掃除機の構成を図１ないし図１９を参照して説明する。
【０００９】
図１９において、１は掃除機本体であり、この掃除機本体１は床面を走行可能な、いわゆるキャニスタ型の電気掃除機である。この掃除機本体１は、図１７ないし図１９に示すように、ケース体としての本体ケース２を備え、この本体ケース２内の後側に、電動送風機３を収容した電動送風機室４が区画されるとともに、この本体ケース２内の前側に、電動送風機室４の前側に連通し集塵装置としての集塵ユニット５が着脱自在となる装着部としての集塵ユニット室６が区画されている。また、本体ケース２の前端部には、集塵ユニット室６に連通する本体吸込口としての接続口７が設けられ、この接続口７に、ホース体としての集塵ホース８が着脱自在に連通接続され、この集塵ホース８の先端部に手元操作部としての手元操作管９が設けられ、この手元操作管９の先端部に延長管10と床ブラシすなわち吸込口体11とが着脱可能に順次連通接続される。また、手元操作管９には、作業者が把持操作する把持部としての操作部12が設けられ、この操作部12には、電動送風機３の動作モードなどを設定操作する操作スイッチ13がそれぞれ設けられている。これら操作スイッチ13は、本体ケース２内に設けられ電動送風機３などを制御する図示しない制御装置に電気的に接続されている。さらに、本体ケース２には、図示しないコードリールが設けられ、このコードリールには、給電用の電源コードが巻回され、本体ケース２から導出可能となっている。
【００１０】
電動送風機室４には、電動送風機３の吸込開口15側が電動送風機室４へと気密に接続されるように配設されている。また、電動送風機室４の後部には、本体ケース２に排気口16が多数穿設されている。
【００１１】
集塵ユニット室６は、上部に開口21が形成されているとともに、電動送風機室４との間に略円筒状の接続風路部22が設けられている。この接続風路部22内には、電動送風機３の吸込開口15に連通する接続開口23が格子状に形成された格子部材24が配設され、前端部の周縁部には、図示しないシール部材が装着されている。また、集塵ユニット室６内には、第１伝達手段としての駆動ギア26と、この駆動ギア26を回転させる駆動手段としての駆動モータ27とが配設されている。
【００１２】
そして、集塵ユニット室６に取り付けられる集塵ユニット５は、塵埃分離本体部としての塵埃分離ユニット31と、集塵本体部としての集塵部ユニット32とを備えている。
【００１３】
塵埃分離ユニット31は、図７ないし図９および図１６に示すように、第１分離部としての塵埃分離部34と、この塵埃分離部34の後部に一体に設けられたフィルタ部35と、このフィルタ部35の上部に設けられた第１蓋部としての蓋ケース36とを有している。
【００１４】
塵埃分離部34は、角筒状の案内風路管42が、左右方向の略中央部に配設され、この案内風路管42の後部に略円筒状の外周壁43により区画された分離室部44が連通され、この分離室部44内にこの分離室部44と同軸状に略截頭円錐形状すなわち略円錐台状の塵埃分離手段46が設けられ、かつ、案内風路管42の下方にて、分離室部44が吸引風路部47に連通されている。
【００１５】
案内風路管42は、塵埃分離ユニット31を図１７に示す本体ケース２の集塵ユニット室６に装着した状態で接続口７の下流側に気密に接続されて塵埃を空気とともに吸い込む吸込接続口48を前端部に備え、かつ、分離室部44の上流側に連通する接続開口49を後端部に備えている。そして、この案内風路管42は、接続開口49から分離室部44内へと導入される空気を、外周壁43の内周面と塵埃分離手段46の外周との間にて、例えば反時計回り方向に回転させるように導くものである。
【００１６】
分離室部44は、外周壁43の上部に集塵部ユニット32の上流側に連通する導入開口51と、集塵部ユニット32の下流側に連通する導入孔52とが形成されている。また、分離室部44は、他側方すなわち案内風路管42側である右側壁53の略中央部に、円形の開口54が穿設されているとともに、この開口54の下部に、扇形状の開口55が穿設され、開口54の上部に、接続開口49が設けられている。さらに、分離室部44の一側方すなわち左側方には、開口57が開口形成され、この開口57には、蓋58が着脱自在に設けられている。
【００１７】
開口54は、塵埃分離手段46が取り付けられているとともに、吸引風路部47の上流側に連通している。
【００１８】
開口55には、ネットフィルタ59が取り付けられているとともに、吸引風路部47の上流側に連通している。
【００１９】
塵埃分離手段46は、先端部に位置する円板61と、開口54の周囲に取り付けられた円環状のリング枠62とを備え、これら円板61とリング枠62とが、放射状に複数設けられたリブ状の連結枠63により連結され、これら連結枠63間に形成され開口54に連通する連通開口64にネットフィルタ65が設けられている。
【００２０】
吸引風路部47は、分離室部44の開口54，55を介して上流側が分離室部44に連通しており、後端部に開口された後部連通開口としての四角形状の接続開口67を介してフィルタ部35の上流側に連通しているとともに、分離室部44と反対側の右側壁部68に穿設された接続開口69を介して集塵部ユニット32の下流側に連通している。
【００２１】
また、図１０ないし図１５に示すように、フィルタ部35は、後端部が開口された略円筒状のフィルタ部本体である収納ケース71と、この収納ケース71内に回転自在に設けられたフィルタとしてのプリーツフィルタ体72と、このプリーツフィルタ体72と一体に回転する第１塵移動手段としての回転体である掃出体73とを備えている。
【００２２】
収納ケース71は、前端を形成する正面視略円形状の区画壁としての前壁部75と、この前壁部の外周縁部から後方へと突出した塵埃受部76とを有している。
【００２３】
前壁部75の前部には、塵埃分離部34が一体に形成されている。また、この前壁部75の左右幅方向略中央部の下部には、吸引風路部47と連通する接続開口67が穿設されているとともに、上側寄りの位置に、第１排出開口としての排出開口78が穿設されている。さらに、この前壁部75の接続開口67の側方には、互いに離間された塵落とし機構としての除塵手段である一対の突起79，79が後方へと突設されている。
【００２４】
排出開口78は、プリーツフィルタ体72にて捕集されこのプリーツフィルタ体72から一対の突起79，79により落とされた微細な塵埃である粉体、すなわち微細塵が導入される開口であり、図１０に示す右上側に周方向に沿って形成されている。また、この排出開口78は、第１排出開口開閉体としての開閉蓋81により閉塞されている。
【００２５】
ここで、開閉蓋81は、前壁部75の前側に位置し、開閉体付勢手段としてのスプリング82により後方すなわち前壁部75へと付勢されているとともに、この付勢力に抗して前方へと移動可能に設けられており、この前方への移動により排出開口78を開閉可能となっている。また、この開閉蓋81の後部には、開閉体突出部としての突起83が突設され、この突起83が、排出開口78から収納ケース71内すなわち前壁部75の後面よりも後方に突出している。
【００２６】
さらに、排出開口78の前部には、排出連通路としての連通部材85が設けられている。この連通部材85は、塵埃分離部34の導入孔52に連通接続されている。したがって、排出開口78は、塵埃分離部34へと連通している。
【００２７】
一対の突起79，79は、プリーツフィルタ体72の上流側面である前側部に当接するように設けられている。
【００２８】
また、塵埃受部76は、前壁部75の全周に亘って後方へと突出し、プリーツフィルタ体72から一対の突起79，79により落とされた微細塵を受ける壁状の部分であり、この塵埃受部76には、前壁部75の中央部よりも下側、かつ、この前壁部75の中央部に対して排出開口78と左右幅方向反対側の位置に、図１３に示すように、第２排出開口としての下部粉体投入口である下部排出開口87が開口形成されている。そして、この塵埃受部76は、掃出体73の外周部が摺接する円筒内周面状に形成されている。
【００２９】
下部排出開口87は、細長四角形状に形成され、図１４に示すように、塵埃受部76の外周側に突設された塵埃収容部としての下部粉体収容部88に連通している。
【００３０】
ここで、下部粉体収容部88は、下部排出開口87から導入された微細塵を一時的に収容する部分であり、塵埃受部76の一側方から下方へと突設された収容本体部91と、この収容本体部91の下端部から後側へと下方に向けて傾斜状に延設された収容突出部92とを有し、この収容突出部92の上側面93に収容部連通開口としての開口部94が穿設され、この開口部94により、下部粉体収容部88が集塵部ユニット32と連通可能に構成されている。
【００３１】
また、図１１に示すように、プリーツフィルタ体72は、略円筒状の枠体96と、この枠体96の中央部に同軸状に位置し前方へと突出した軸部97と、この軸部97の外周面から径方向に放射状に突設された複数のプリーツ骨98，99と、これらプリーツ骨98，99に貼着されて放射プリーツ状に形成されたフィルタ体としてのプリーツフィルタ100とを有している。
【００３２】
枠体96は、後端部に円筒部103が突設され形成され、この円筒部103の外周面に、周方向に沿って例えば３つの小径部104が略等間隔に形成され、これら小径部104間がそれぞれ大径部105となっている。また、円筒部103の後端面には、ギア106が形成されている。
【００３３】
これら小径部104および大径部105は、例えば集塵ユニット室６内に設けられた検知手段としての図示しないマイクロスイッチにより検知されるものであり、このマイクロスイッチは、本体ケース２内の制御装置に電気的に接続され、本実施の形態では、例えば大径部105の検知によりオンされ、小径部104の検知によりオフされるように構成されている。
【００３４】
また、軸部97は、図１８に示すように、中央部に軸孔107が設けられ、この軸孔107には、前壁部75の中央部から後方へと突設された軸108に相対的に回転自在に挿入されている。
【００３５】
さらに、ギア106は、円筒部103とともに収納ケース71から外方へと突出している。そして、このギア106は、塵埃分離ユニット31を図１７に示す集塵ユニット室６に装着した状態で駆動ギア26に噛合されている。
【００３６】
この結果、プリーツフィルタ体72は、駆動モータ27の駆動により収納ケース71内で回転可能となっている。
【００３７】
そして、図９、図１０および図１２に示すように、掃出体73は、プリーツフィルタ体72の軸部97に嵌合されて掃出体73をプリーツフィルタ体72とともに回転可能とする回転体軸部としての軸部111と、この軸部111から径方向に突設された例えば３つの腕部であるアーム112と、これらアーム112の先端部に設けられた掃出部材113とを有している。
【００３８】
各アーム112は、軸部111の周方向に略等間隔に設けられている。
【００３９】
各掃出部材113の先端部には、掃出体73の回転時に収納ケース71の塵埃受部76の内周面に摺接してこの塵埃受部76に溜められている微細塵を掻き上げるとともに、その一部を下部排出開口87へ落とす第１摺接部115が形成され、各掃出部材113の前側部には、掃出体73の回転時に収納ケース71の前壁部75の後面上を摺接する第２摺接部116が形成されている。また、各掃出部材113の片面、すなわち掃出体73の回転方向前側面には、第１摺接部115により掻き上げた微細塵を排出開口78へ落とすガイド傾斜面としての傾斜面117が形成されている。
【００４０】
なお、掃出体73のプリーツフィルタ体72に対する取り付け位置は、例えば掃出体73が図１０に示す位置、すなわちいずれのアーム112も接続開口67および排出開口78と交差しない位置へと回転した際にマイクロスイッチがオンからオフに切り換わるように設定されている。
【００４１】
さらに、蓋ケース36は、左右両端部が下方へと湾曲した略円筒外周面状に形成されている。
【００４２】
一方、図４ないし図６に示すように、集塵部ユニット32は、塵埃を溜める集塵部121と、この集塵部121の上部に設けられ、蓋ケース36とともに集塵ユニット室６の開口21を閉塞する第２蓋部としての蓋ケース122とを有している。
【００４３】
集塵部121は、上部に左右幅方向に延設された連通路124を有する連通ケース部125と、この連通ケース部125の一側部である塵埃分離部34と反対側から下方へと延設されて塵埃を集塵する集塵室126を形成する集塵ケース部127とを備えている。したがって、これらケース部125，127間には、塵埃分離ユニット31の塵埃分離部34および案内風路管42などが嵌合する空間部128が形成されている。
【００４４】
連通ケース部125の下面には、連通路124に連通する開口131が開口形成されている。この開口131は、塵埃分離部34の導入開口51に気密に接続される。
【００４５】
集塵ケース部127の塵埃分離部34に対向する側である左側を区画する左側壁部133には、接続開口134が格子状に穿設され、これら接続開口134には、ネットフィルタ135が取り付けられている。また、この左側壁部133には、接続開口134の下方にて、前後方向に連続したリブ状の区画板部136が設けられている。
【００４６】
さらに、集塵ケース部127の左側壁部133から所定距離離間された位置には、カバー板137が取り付けられている。このカバー板137の下側寄りの位置には、吸引風路部47の接続開口67に連通接続される四角形状の開口138が接続開口134に臨んで穿設され、ネットフィルタ135の上部が所定距離離間された位置にてカバー板137の一部によって覆われている。
【００４７】
そして、集塵ケース部127は、カバー板137と反対側である右側面に開口141が形成されたケース部142と、このケース部142に回動可能に軸支されて回動により開口141を開閉可能な蓋体143と、この蓋体143に一体的に取り付けられた第２塵移動手段としての塵移動部144とを有しており、ケース部142と蓋体143とにより、集塵ケース部127が縦割りすなわち左右に略二等分されている。
【００４８】
蓋体143は、図１および図１６に示すように、底壁部145、この底壁部145の前後両側から上方へと形成された側壁部146，147、これら側壁部146，147の上部に亘って形成され蓋ケース122の一部をなす上壁部148、底壁部145、側壁部146，147および上壁部148により囲まれた蓋板部149、および、この蓋板部149の下端部すなわち底壁部145寄りの位置に突設され側壁部146，147間に連続した蓋体区画板部150を備えている。
【００４９】
底壁部145の下部には、連通ケース部125側である左側へとアーム部153，153が延設され、各アーム部153に設けられた軸部154が、ケース部142の底部に設けられた軸受部155に回動自在に保持され、この軸部154を中心として蓋体143がケース部142に対して回動可能となっている。
【００５０】
側壁部146，147は、左右幅寸法が集塵ケース部127の左右幅寸法の１／２以上となるように設定されている。
【００５１】
上壁部148には、図示しないフックが形成され、このフックがケース部142の図示しない係止部に形成されることで蓋体143がケース部142に保持されるとともに、蓋ケース122に設けられた図示しない解除ボタンの操作によりフックの係止が解除されることで、蓋体143がケース部142に対して自重により回動するように構成されている。
【００５２】
蓋体区画板部150は、蓋体143を閉じた状態でケース部142側の区画板部136と先端部同士が当接することにより、集塵室126内に、第１集塵室158と、この第１集塵室158の下部に位置する粉体集塵室である第２集塵室159とを区画している。すなわち、第１集塵室158と第２集塵室159とは、集塵部121内に一体的に形成されている。
【００５３】
第１集塵室158は、例えば綿ごみなどの比較的大きい塵埃が収容される部分である。
【００５４】
また、第２集塵室159は、塵移動部144の動作により塵埃分離ユニット31の下部粉体収容部88から吸い出されて移動した微細塵が収容される部分であり、第１集塵室158よりも小さい容積に形成されている。さらに、この第２集塵室159には、側壁部146側である後側に風路状の副集塵突出部160が突設され、この副集塵突出部160の後端部に後方に向けて上方向に傾斜状に形成された後部傾斜面161に、集塵開口部162が穿設されている。
【００５５】
この集塵開口部162は、第２集塵室159の側壁部146に開口形成された連通開口部163を介して第２集塵室159に連通している。また、この集塵開口部162の後部傾斜面161側の周囲には、シール部材Ｓが設けられ、塵埃分離ユニット31と集塵部ユニット32とを集塵ユニット室６に装着した際に、副集塵突出部160の後部傾斜面161のシール部材Ｓと下部粉体収容部88の上側面93とが対向して密着することで、塵埃分離ユニット31の開口部94と気密に接続される。
【００５６】
そして、図１ないし図３に示すように、塵移動部144は、略円筒状のシリンダ164と、このシリンダ164内に摺動可能に挿入されたピストン165と、このピストン165をシリンダ164内で上方向に付勢するピストン付勢手段としてのスプリング166とを備え、下部粉体収容部88と第２集塵室159との間に圧力差を生じさせて下部粉体収容部88に収容された微細塵を第２集塵室159へと吸い出して移動させるものである。
【００５７】
シリンダ164の一端部である下端部は、蓋体区画板部150に穿設された丸孔状の連通孔167に接続され、第２集塵室159へと連通されている。また、シリンダ164の他端部である上端部は、上壁部148に穿設された円弧状の嵌合孔168に気密に嵌合されて蓋体143の上方に突出している。さらに、このシリンダ164の容積は、第２集塵室159の容積に対して所定の比率、本実施の形態では第２集塵室159の容積以上の容積、例えば第２集塵室159と略等しい容積に設定されている。そして、このシリンダ164の上端部には、ピストン165をシリンダ164に保持可能なピストン保持部170が設けられている。
【００５８】
ピストン165は、下端部がシリンダ164内に挿入され、上端部がシリンダ164の上端部から突出するロッド175と、このロッド175の下端部に設けられシリンダ164の内周面に気密に摺接するピストン本体176とを有し、シリンダ164に最大に挿入されている状態で、下端部が連通孔167よりも下方に突出しないように全長が設定されている。
【００５９】
ピストン保持部170は、シリンダ164の上端部を閉塞する閉塞部材177と、この閉塞部材177の上部に設けられてシリンダ164の上部に突出する保持突出部178とを備えている。
【００６０】
閉塞部材177は、下端部とピストン165のピストン本体176との間にスプリング166を保持している。
【００６１】
保持突出部178は、ロッド175を係止可能な図示しないフック部を有し、ピストン165をシリンダ164に最大に挿入した状態で、このフック部がロッド175を係止してスプリング166を引き延ばした状態でピストン165を保持するとともに、このフック部を動作させるボタン部179を外部から操作することによりこの保持を解除可能に設けられている。
【００６２】
スプリング166は、ピストン165がシリンダ164から最大に突出した状態で自然長となるように配設されている。
【００６３】
次に、上記一実施の形態での掃除動作を説明する。
【００６４】
本体ケース２の接続口７に集塵ホース８、延長管10および吸込口体11を順次連通接続するとともに、本体ケース２の集塵ユニット室６に集塵ユニット５を装着する。
【００６５】
このとき、本体ケース２の集塵ユニット室６に、まず塵埃分離ユニット31を装着することで、接続風路部22の前面開口に塵埃分離ユニット31の収納ケース71の後端面が気密に接続され、収納ケース71内と電動送風機３の吸込開口15とが接続風路部22を介して連通する。
【００６６】
また、この塵埃分離ユニット31を装着した集塵ユニット室６に集塵部ユニット32を装着することで、集塵部ユニット32の開口131に塵埃分離部34の導入開口51が気密に接続され、集塵部ユニット32のカバー板137の開口138が塵埃分離ユニット31の吸引風路部47の接続開口67に気密に接続され、かつ、塵埃分離ユニット31の開口部94と集塵部ユニット32の集塵開口部162および連通開口部163とが気密に接続されことで、下部粉体収容部88と第２集塵室159とが互いに連通接続される。
【００６７】
さらに、塵移動部144においては、スプリング166を引き延ばしつつロッド175をシリンダ164内へと押し込み、ピストン保持部170のフック部によりロッド175を係止することで、ピストン165がシリンダ164内に保持される。
【００６８】
この状態で、本体ケース２から電源コードを引き出して壁面などのコンセントに接続すると、制御装置が駆動モータ27を駆動させることでフィルタ部35のプリーツフィルタ体72を回転させる。
【００６９】
このとき、プリーツフィルタ体72のプリーツフィルタ100にて捕集した微細塵が突起79，79により塵埃受部76に塵落としされるとともに、この塵落としされた微細塵が塵埃受部76から排出される。
【００７０】
すなわち、微細塵の塵落としについては、収納ケース71の前壁部75の突起79，79がプリーツフィルタ体72の回転によりプリーツフィルタ100の各山部に当接してプリーツフィルタ100に振動が与えられることで、このプリーツフィルタ100にて捕集した微細塵が塵落としされ、塵埃受部76に溜まる。
【００７１】
また、塵落としされた微細塵の塵埃受部76からの排出については、プリーツフィルタ体72の回転に伴う掃出体73の回転により、この掃出体73の各掃出部材113の第１摺接部115が、塵埃受部76の内周面上を摺動し、塵埃受部76に溜まっている微細塵を周面に沿って押し上げる。
【００７２】
掃出部材113が排出開口78の位置に来ると、この掃出部材113の第２摺接部116が開閉蓋81の突起83を押圧し、開閉蓋81がスプリング82の付勢に抗して前方へと押し込まれ、排出開口78が開き、第１摺接部115により掻き上げられた微細塵が掃出部材113の側面を介して傾斜面117により排出開口78内に落とされる。この排出開口78内に落とされた微細塵は、連通部材85を介して塵埃分離部34の導入孔52から分離室部44内へと戻される。
【００７３】
同時に、掃出部材113は、下部排出開口87へと微細塵を落とし、この下部排出開口87へと落とされた微細塵は、下部粉体収容部88内に収容される。
【００７４】
そして、プリーツフィルタ体72の回転により、マイクロスイッチによるプリーツフィルタ体72の円筒部103の大径部105と小径部104との検出の切り換わりにより、制御装置が駆動モータ27の駆動を停止させる。掃出部材113が排出開口78とずれた位置へ来ると、スプリング82の付勢により開閉蓋81が後方へと押し戻され、排出開口78が閉塞する。
【００７５】
なお、駆動モータ27の駆動中、手元操作管９の操作スイッチ13を操作しても電動送風機３は駆動されないため、塵埃分離部34の分離室部44内に排出された塵埃が排出開口78から吸い出されてプリーツフィルタ100に付着することはない。
【００７６】
そして、作業者が手元操作管９を把持して所望の操作スイッチ13を操作すると、制御装置により電動送風機３が所望の動作モードで駆動され、電動送風機３の吸込開口15から空気が吸い込まれて、接続風路部22を介して集塵ユニット５の収納ケース71内に負圧が作用し、さらにこの負圧が吸引風路部47を介して集塵ケース部127内および塵埃分離部34の分離室部44に作用し、かつ、案内風路管42を介して集塵ホース８、延長管10および吸込口体11に作用し、吸込口体11から空気とともに塵埃が吸い込まれる。
【００７７】
この塵埃は、空気とともに案内風路管42の吸込接続口48へと吸い込まれ、接続開口49から塵埃分離部34の分離室部44へと吸い込まれ、外周壁43と塵埃分離手段46との間にて反時計回り方向に回転する。
【００７８】
この回転により、塵埃と空気とが慣性分離され、空気の一部は塵埃分離手段46のネットフィルタ65および開口55のネットフィルタ59を通過し、さらに吸引風路部47を通過してフィルタ部35の収納ケース71内へと吸い込まれる。
【００７９】
一方、分離された塵埃は、慣性により分離室部44の導入開口51を介して集塵部121の連通ケース部125内へと、空気の他部とともに導入され、連通路124を通過して集塵室126へと吸い込まれ、集塵室126の第１集塵室158に集塵される。
【００８０】
そして、集塵室126へと吸い込まれた空気は、ネットフィルタ135およびカバー板137の開口138を通過して吸引風路部47へと吸い込まれ、さらにフィルタ部35の収納ケース71内へと吸い込まれる。
【００８１】
収納ケース71内へと吸い込まれた空気は、プリーツフィルタ体72のプリーツフィルタ100を通過して掃除機本体１の接続風路部22を介して電動送風機３の吸込開口15へと吸い込まれた後、電動送風機３を通過して排気風となり、掃除機本体１の排気口16から外部へと排気される。
【００８２】
掃除が終了すると、手元操作管９の操作スイッチ13を操作して電動送風機３の駆動を停止させる。このとき、掃除開始時と同様に、制御装置が駆動モータ27を駆動させ、この駆動モータ27の駆動によりプリーツフィルタ体72が回転し、プリーツフィルタ100が塵落としされるとともに、塵埃受部76に溜まった微細塵が排出開口78および下部排出開口87へと排出され、駆動モータ27が停止する。
【００８３】
さらに、集塵部ユニット32に塵埃が溜まった場合には、この集塵部ユニット32を本体ケース２から取り外す。この取り外しの際には、まず、ボタン部179を操作することでスプリング166を自然長へと復帰させ、シリンダ164内にてピストン165を摺動させて上方向へと突出させることで、シリンダ164に連通孔167を介して連通する第２集塵室159内が負圧となり、この第２集塵室159と連通する下部粉体収容部88に収容された微細塵が開口部94、集塵開口部162および連通開口部163を介して第２集塵室159内へと吸い出される。
【００８４】
この後、集塵部ユニット32を本体ケース２から取り外し、さらに解除ボタンの操作により蓋体143の係止を解除することで集塵室126が開き、第１集塵室158に集塵された塵埃と、第２集塵室159に収容された微細塵とが廃棄される。
【００８５】
また、長期間の使用により、プリーツフィルタ100に目詰まりが生じた場合には、塵埃分離ユニット31を本体ケース２から取り外してプリーツフィルタ100を掃除する。
【００８６】
上述したように、上記一実施の形態によれば、突起79，79によりプリーツフィルタ100から落とした微細塵の少なくとも一部を、プリーツフィルタ体72とともに回転する掃出体73により下部粉体収容部88へと移動させて収容し、この下部粉体収容部88と第２集塵室159との間に塵移動部144により圧力差を生じさせて、下部粉体収容部88内の微細塵を第２集塵室159へと吸い出すことで、プリーツフィルタ100から落とした微細塵のプリーツフィルタ100の周囲すなわち塵埃受部76あるいは収納ケース71内での取り残しを抑制するとともに微細塵のプリーツフィルタ100への再付着を防止し、例えばプリーツフィルタ100の掃除などの際にプリーツフィルタ100を収納ケース71から取り外した場合などに微細塵が塵埃受部76などにて目視されることがなく、清潔感を向上できる。
【００８７】
そして、集塵部121を第１集塵室158と、下部粉体収容部88に連通する第２集塵室159とに区画することで、塵移動部144により下部粉体収容部88から吸い出した微細塵が第２集塵室159内に収容されて第１集塵室158内へと移動しないため、これら微細塵がプリーツフィルタ100へと再付着することを、より確実に防止できる。
【００８８】
さらに、第１集塵室158と第２集塵室159とを一体的に形成することで、これらを別個に設ける場合と比較して集塵部ユニット32をコンパクトに構成できる。
【００８９】
また、塵移動部144を、下端部が第２集塵室159に連通するシリンダ164と、このシリンダ164内にて摺動可能かつ上端部から突出するピストン165とで構成することにより、塵移動部144を容易に構成できるとともに、第２集塵室159に対するシリンダ164の容積比を設定することで、微細塵の吸い出し性能を容易に設定できる。
【００９０】
具体的に、シリンダ164の容積を第２集塵室159の容積以上の容積に設定することで、ピストン165を上方に突出させてシリンダ164内を負圧にした際に、第２集塵室159内の圧力が効果的に変化するので、微細塵を下部粉体収容部88から第２集塵室159へと確実に吸い出すことができる。
【００９１】
さらに、第２集塵室159を第１集塵室158に隣接させて設け、蓋体143の開閉により第１集塵室158と同時に解放されるように構成することで、第１集塵室158に収容した塵埃と第２集塵室159に収容した塵埃とを、同時に廃棄でき、使い勝手が良好である。
【００９２】
そして、下部排出開口87が掃出体73の回転中心よりも下側に位置することで、掃出体73の回転中心よりも上側に設ける場合と比較して、下部排出開口87へと排出される微細塵が必要以上に持ち上げられることがなく、確実に塵埃受部76から排出できる。
【００９３】
しかも、下部粉体収容部88は、電動送風機３の負圧が作用する部分でないため、開閉するための機構などを設ける必要もなく、構成を簡略化できる。
【００９４】
また、突起79，79をプリーツフィルタ体72の回転中心よりも下側に設けることで、プリーツフィルタ100の下側部分から主に塵埃が振り落とされるので、この振り落とされた塵埃が塵埃受部76へと落下する前にプリーツフィルタ100へと再付着することがなく、効率よく塵落としできる。
【００９５】
さらに、排出開口78から戻された微細塵は、その殆どが第１集塵室158内の綿ごみなどの塵埃に付着することで、プリーツフィルタ100へ再付着することが防止される。
【００９６】
そして、ピストン165をシリンダ164内に押し込んで塵移動部144をセットする作業は、集塵部ユニット32を集塵ユニット室６に取り付ける一連の動作中に組み込むことができ、塵移動部144の動作をセットするための動作などが簡略化され、使い勝手が良好になる。
【００９７】
なお、上記一実施の形態において、フィルタ体、塵落とし機構、第１塵移動手段、第２塵移動手段などの構成は上記に限定されるものではない。
【００９８】
また、第１集塵室158と第２集塵室159とは、集塵部ユニット32に一体的に形成したが、それぞれを別個の集塵部ユニットとすることも可能である。
【００９９】
さらに、慣性を利用して空気から塵埃を分離する電気掃除機について説明したが、例えば紙パックなどの紙フィルタを用いる電気掃除機に対しても適用できる。
【０１００】
そして、キャニスタ型の電気掃除機に限らず、吸込口体11が掃除機本体１の下面に直接形成されたアップライト型、その他、掃除機本体１と吸込口体11とが一体化された自走式の電気掃除機あるいはハンディ型などであっても対応させて用いることができる。
【図面の簡単な説明】
【０１０１】
【図１】本発明の一実施の形態の電気掃除機の集塵部の一部を示す斜視図である。
【図２】同上集塵部の一部を拡大して示す斜視図である。
【図３】同上集塵部と塵埃分離部との嵌合を示す説明斜視図である。
【図４】同上集塵部を示す側方からの斜視図である。
【図５】同上集塵部を示す下方からの斜視図である。
【図６】同上集塵部を示す側方からの斜視図である。
【図７】同上塵埃分離部を示す前方下部からの斜視図である。
【図８】同上塵埃分離部を一部を切り欠いて示す前方下部からの斜視図である。
【図９】同上塵埃分離部の一部を示す側方からの縦断面図である。
【図１０】同上電気掃除機の集塵装置のフィルタ体を取り外した状態を示す後方からの斜視図である。
【図１１】同上フィルタ体を示す側面図である。
【図１２】同上第１塵移動手段を示す正面図である。
【図１３】同上電気掃除機の塵埃収容部の一部を示す後方からの斜視図である。
【図１４】同上電気掃除機の塵埃収容部を示す前方からの斜視図である。
【図１５】同上フィルタ体近傍を後方から示す斜視図である。
【図１６】同上電気掃除機の集塵装置を示す前方からの縦断面図である。
【図１７】同上電気掃除機の掃除機本体の本体ケースを示す側方からの縦断面図である。
【図１８】同上掃除機本体を示す側方からの縦断面図である。
【図１９】同上電気掃除機を示す斜視図である。
【符号の説明】
【０１０２】
１    掃除機本体
３    電動送風機
５    集塵装置としての集塵ユニット
73    第１塵移動手段としての掃出体
79    塵落とし機構としての突起
88    塵埃収容部としての下部粉体収容部
100   フィルタ体としてのプリーツフィルタ
144   第２塵移動手段としての塵移動部
158   第１集塵室
159   第２集塵室
164   シリンダ
165   ピストン
【図１】
2007252641.tif 000003
【図２】
2007252641.tif 000004
【図３】
2007252641.tif 000005
【図４】
2007252641.tif 000006
【図５】
2007252641.tif 000007
【図６】
2007252641.tif 000008
【図７】
2007252641.tif 000009
【図８】
2007252641.tif 000010
【図９】
2007252641.tif 000011
【図１０】
2007252641.tif 000012
【図１１】
2007252641.tif 000013
【図１２】
2007252641.tif 000014
【図１３】
2007252641.tif 000015
【図１４】
2007252641.tif 000016
【図１５】
2007252641.tif 000017
【図１６】
2007252641.tif 000018
【図１７】
2007252641.tif 000019
【図１８】
2007252641.tif 000020
【図１９】
2007252641.tif 000021